(57)【要約】【課題】複雑な機構に起因した故障の発生を抑制することができると共に、製作費用や保守費用が増加することを回避できる水路開閉装置を提供する。【解決手段】フレーム１０に保持されて水平方向Ｘへのスライドによって水路Ｒを開閉する扉体３０と、扉体をスライドさせる作動機構と、を備えた水路開閉装置１であって、作動機構は、上下方向Ｙに配置されて回転操作可能なねじ軸４１と、水平方向に対して所定角度傾斜した状態で扉体に設けられる傾斜ガイドレール３２Ａ、３２Ｂと、ねじ軸に螺合して傾斜ガイドレールに係合し、ねじ軸の回転操作に伴う上下方向へのねじ送りにより傾斜ガイドレールに沿って相対的に摺動するナット部材５０と、を有する。【選択図】図１
2010222825.tif 000002
【特許請求の範囲】
【請求項１】
フレームに保持されて水平方向へのスライドによって水路を開閉する扉体と、該扉体をスライドさせる作動機構と、を備えた水路開閉装置であって、
前記作動機構は、
上下方向に配置されて回転操作可能なねじ軸と、
前記水平方向に対して所定角度傾斜した状態で前記扉体に設けられる傾斜ガイドレールと、
前記ねじ軸に螺合して前記傾斜ガイドレールに係合し、前記ねじ軸の回転操作に伴う前記上下方向へのねじ送りにより前記傾斜ガイドレールに沿って相対的に摺動するナット部材と、
を有することを特徴とする水路開閉装置。
【請求項２】
前記水平方向への前記扉体のスライドに応じて該扉体の閉位置と該扉体の開位置との間を移動する扉体開度表示部を備えることを特徴とする請求項１に記載の水路開閉装置。
【請求項３】
前記フレームの上下の端縁に、前記扉体のスライドを案内する扉体ガイドレールを設け、
前記扉体の下部に、下側の前記扉体ガイドレールに沿って転動可能なローラ部材を設けたことを特徴とする請求項１又は２に記載の水路開閉装置。
【請求項４】
前記扉体ガイドレールの長手方向には、固定部材収容溝が設けられており、
前記固定部材収容溝には、前記扉体ガイドレールを支持する支持部材に該扉体ガイドレールを固定する固定部材を摺動可能に収容することを特徴とする請求項３に記載の水路開閉装置。
【請求項５】
前記ねじ軸の上端に、携帯用電動工具の回転出力軸を連結して、該回転出力軸の回転駆動によって前記ねじ軸の回転操作を可能にしたことを特徴とする請求項１ないし４のいずれかに記載の水路開閉装置。
【請求項６】
前記携帯用電動工具を回り止め状態にして前記ねじ軸の上端に前記回転出力軸を回転可能に連結する携帯用電動工具支持部材を備えることを特徴とする請求項５に記載の水路開閉装置。
【発明の詳細な説明】
【技術分野】
【０００１】
この発明は、フレームに保持されて水平方向へのスライドによって水路を開閉する扉体と、該扉体をスライドさせる作動機構と、を備えた水路開閉装置に関する。
【背景技術】
【０００２】
特許文献１には、路面下などの地下に埋設される水路のような上方にあまりスペースがとれない水路に対しても支障なく設置することのできる水路用ゲート装置が開示されている。特許文献１の水路用ゲート装置では、ゲート扉の摺動をガイドする一対のガイドレールをそれぞれ水路内壁面の上下端位置に水平かつ並行に対向させながら路面下に配設し、各ガイドレールにゲート扉の上下端縁を支持させてゲート扉を水平方向へ摺動自在にすると共に、ゲート扉摺動手段によって、前記ガイドレールに沿ってゲート扉を摺動動作させている。
【０００３】
上記の水路用ゲート装置によれば、ガイドレールが、水路内壁面の上下端位置に水平に配設されているため、ガイドレールに沿って摺動させたゲート扉を、路面下の水路内の側方に配置することができる。このため、水路上方にあまりスペースが無いような場所であっても、支障なくゲート装置を設置することができる。
【先行技術文献】
【特許文献】
【０００４】
【特許文献１】特開２００６−２８９５８号公報
【発明の概要】
【発明が解決しようとする課題】
【０００５】
しかしながら、ガイドレールに沿ってゲート扉を摺動させる場合には、該ガイドレールと並行に配設したスピンドルにゲート扉を螺着した上で、スピンドルを回転させるために、操作ハンドルとスピンドルとの間にはベベルギヤを用いなければならなかった。このため、べベルギヤを用いることに伴って、水路開閉装置の機構が複雑になる。これに起因して、水路開閉装置に故障が発生するおそれがあった。
【０００６】
また、水路開閉装置の機構が複雑になれば、該複雑な機構の設置に伴って、水路開閉装置の製作費用や保守費用が増加することも懸念される。
【０００７】
この発明は、このような状況に鑑み提案されたものであって、複雑な機構に起因した故障の発生を抑制することができると共に、製作費用や保守費用が増加することを回避できる水路開閉装置を提供することを目的とする。
【課題を解決するための手段】
【０００８】
請求項１の発明に係る水路開閉装置は、フレームに保持されて水平方向へのスライドによって水路を開閉する扉体と、該扉体をスライドさせる作動機構と、を備えた水路開閉装置であって、前記作動機構は、上下方向に配置されて回転操作可能なねじ軸と、前記水平方向に対して所定角度傾斜した状態で前記扉体に設けられる傾斜ガイドレールと、前記ねじ軸に螺合して前記傾斜ガイドレールに係合し、前記ねじ軸の回転操作に伴う前記上下方向へのねじ送りにより前記傾斜ガイドレールに沿って相対的に摺動するナット部材と、を有することを特徴とする。
請求項１の発明に係る水路開閉装置によれば、ねじ軸の回転操作によって、ナット部材が、前記上下方向にねじ送りされて傾斜ガイドレールに沿って相対的に摺動すると、ナット部材の摺動に合わせて傾斜ガイドレールが設けられた扉体をスライドさせることができる。
したがって、簡易な構成であるナット部材を介し、ねじ軸と、扉体のスライドを案内する傾斜ガイドレールとを連動させることによって、扉体をスライドさせることができるため、扉体をスライドさせるために、ねじ軸と傾斜ガイドレールとの間に複雑な機構を設ける必要がない。
よって、複雑な機構に起因した故障が起きることを防ぐことができると共に、該複雑な機構の設置に伴う水路開閉装置の製作費用や保守費用の増加を回避することができる。
【０００９】
請求項２の発明は、請求項１において、前記水平方向への前記扉体のスライドに応じて該扉体の閉位置と該扉体の開位置との間を移動する扉体開度表示部を備えることを特徴とする。
請求項２の発明によれば、扉体開度表示部は、前記水平方向への前記扉体のスライドに応じ、該扉体の閉位置と該扉体の開位置との間を移動する。
このため、例えば、扉体のスライド操作を行う者が、前記閉位置と前記開位置との間に位置する扉体開度表示部を確認することにより、該扉体開度表示部の位置に基づいて、扉体の開度を容易に把握することができる。
【００１０】
請求項３の発明は、請求項１又は２において、前記フレームの上下の端縁に、前記扉体のスライドを案内する扉体ガイドレールを設け、前記扉体の下部に、下側の前記扉体ガイドレールに沿って転動可能なローラ部材を設けたことを特徴とする。
請求項３の発明によれば、扉体の下部に、下側の扉体ガイドレールに沿って転動可能なローラ部材を設けた。
このため、扉体を前記水平方向へスライドさせることに伴って、ローラ部材を下側の扉体ガイドレールに沿って転動させることができる。これにより、扉体と下側の扉体ガイドレールとの間の摩擦力を低減させて、扉体を、下側の扉体ガイドレールに沿って円滑に移動させることができ、扉体のスライド動作の負担を軽減することができる。
【００１１】
請求項４の発明は、請求項３において、前記扉体ガイドレールの長手方向には、固定部材収容溝が設けられており、前記固定部材収容溝には、前記扉体ガイドレールを支持する支持部材に該扉体ガイドレールを固定する固定部材を摺動可能に収容することを特徴とする。
請求項４の発明によれば、固定部材収容溝には、支持部材に扉体ガイドレールを固定する固定部材を摺動可能に収容する。
このため、固定部材収容溝を用いて固定部材を摺動させることにより、該固定部材を、固定部材収容溝における任意の位置へ移動させることができる。したがって、任意の位置に移動させた固定部材に応じ、扉体ガイドレールを支持部材に固定する位置を任意に調整することができる。
【００１２】
請求項５の発明は、請求項１ないし４のいずれかにおいて、前記ねじ軸の上端に、携帯用電動工具の回転出力軸を連結して、該回転出力軸の回転駆動によって前記ねじ軸の回転操作を可能にしたことを特徴とする。
請求項５の発明によれば、携帯用電動工具の回転出力軸の回転駆動により、前記ねじ軸の回転操作を可能にした。
このため、携帯用電動工具によって、ねじ軸の回転操作が可能になれば、ねじ軸の回転と連動させて扉体を短時間で簡単にスライドさせることができ、扉体をスライドさせる作業が容易になる。
【００１３】
請求項６の発明は、請求項５において、前記携帯用電動工具を回り止め状態にして前記ねじ軸の上端に前記回転出力軸を回転可能に連結する携帯用電動工具支持部材を備えることを特徴とする。
請求項６の発明によれば、ねじ軸の上端に前記回転出力軸を回転可能に連結した状態で、携帯用電動工具によって、ねじ軸の回転操作を行う最中であっても、携帯用電動工具支持部材を用いることにより、携帯用電動工具が回転することを防止できる。
これにより、携帯用電動工具の回転出力軸をねじ軸の上端に回転可能に連結した状態を保持することができるため、前記回転出力軸とねじ軸の上端との連結状態が解除されることを防ぐことができ、携帯用電動工具はねじ軸の回転操作を効率的に行うことができる。
【発明の効果】
【００１４】
本発明の水路開閉装置によれば、ねじ軸の回転操作によって、ナット部材が、前記上下方向にねじ送りされて傾斜ガイドレールに沿って相対的に摺動すると、ナット部材の摺動に合わせて傾斜ガイドレールが設けられた扉体をスライドさせることができる。
したがって、簡易な構成であるナット部材を介し、ねじ軸と、扉体のスライドを案内する傾斜ガイドレールとを連動させることによって、扉体をスライドさせることができるため、扉体をスライドさせるために、ねじ軸と傾斜ガイドレールとの間に複雑な機構を設ける必要がない。
よって、複雑な機構に起因した故障が起きることを防ぐことができると共に、該複雑な機構の設置に伴う水路開閉装置の製作費用や保守費用の増加を回避することができる。
【図面の簡単な説明】
【００１５】
【図１】本発明の実施形態１の水路開閉装置の正面図である。
【図２】同水路開閉装置の要部上面図である。
【図３】同水路開閉装置の要部断面図である。
【図４】同水路開閉装置の開閉に用いる操作ハンドルの正面図である。
【図５】実施形態２の水路開閉装置の正面図である。
【図６】同水路開閉装置の要部上面図である。
【図７】インパクトドライバ支持部材をインパクトドライバに係合させる前の状態を示す図である。
【図８】他の実施形態のインパクトドライバ支持部材をインパクトドライバに係合させた状態を示す図である。
【図９】他の実施形態の操作ハンドルの正面図である。
【発明を実施するための形態】
【００１６】
＜実施形態１＞
本発明の実施形態１を、図１ないし図３を参照しつつ説明する。図示の水路開閉装置１は、固定フレーム１０と、引戸扉ガイドレール２０（２０Ａ、２０Ｂ）と、引戸扉３０と、スピンドル４０と、摺動部材５０とを備えている。図１は、引戸扉３０を該引戸扉３０の全開位置に移動させ、水路Ｒを全開にした状態を示す。
【００１７】
固定フレーム１０は、引戸扉３０の幅方向（開閉方向）Ｘに延設されている。固定フレーム１０には、開口部１５が形成されている。ここでは、合成樹脂（硬化ポリ塩化ビニル）によって固定フレーム１０を成形した。なお、固定フレーム１０は、本発明のフレームの一例である。
【００１８】
引戸扉ガイドレール２０は、上部引戸扉ガイドレール２０Ａ及び下部引戸扉ガイドレール２０Ｂによって構成される。各引戸扉ガイドレール２０Ａ、２０Ｂは、ボルト（図示せず。）によって、固定フレーム１０の上側面及び底側面にそれぞれ固定されている。図３に示すように、各引戸扉ガイドレール２０Ａ、２０Ｂの内面には、段部２１がそれぞれ形成されている。ここでは、アルミニウムによって、各引戸扉ガイドレール２０Ａ、２０Ｂを成形した。
【００１９】
さらに、引戸扉ガイドレール２０Ａの上面の長手方向及び引戸扉ガイドレール２０Ｂの下面の長手方向には、ボルト収容溝２５（図３参照。）がそれぞれ形成されている。ボルト収容溝２５には、ボルト２６の頭部が収容される。ボルト２６の頭部は、ボルト収容溝２５に沿って摺動させることができる。ボルト２６の先端は、Ｌ字状のブラケット２８の孔に通されて、ナット２７によって該ブラケット２８に固定される。ブラケット２８は、例えば、アンカーボルトによって、路面下の壁面に固定される。これにより、ブラケット２８は、各引戸扉ガイドレール２０Ａ、２０Ｂを支持する。なお、ボルト収容溝２５は、本発明の固定部材収容溝の一例である。ボルト２６は本発明の固定部材の一例であり、ブラケット２８は本発明の支持部材の一例である。
【００２０】
加えて、各引戸扉ガイドレール２０Ａ、２０Ｂには、引戸扉押さえ部材２９が螺着されている。ここでは、合成樹脂製の円柱状部材に螺旋状のねじ部を刻設することにより、引戸扉押さえ部材２９を形成した。各引戸扉押さえ部材２９を回転させることにより、該引戸扉押さえ部材２９は、各引戸扉ガイドレール２０Ａ、２０Ｂの内側へ突出可能に設けられている。本実施形態では、各引戸扉押さえ部材２９を、各引戸扉ガイドレール２０Ａ、２０Ｂの内側に装着された引戸扉３０に当接させることにより、引戸扉３０と水路Ｒとの間に隙間が生じることを防ぐ。これにより、水路開閉装置１の上流側から該水路開閉装置１の下流側へ水が漏れることを防ぐ。
【００２１】
図１に示すように、引戸扉３０は、水路Ｒの開口部Ｒ１を開放又は閉鎖するために用いられる。上記の段部２１と、該段部２１に対向する固定フレーム１０の側面との間には、引戸扉３０の幅方向に沿ってスリット状の空間Ｓ（図３参照。）が形成される。引戸扉３０は、スリット状の空間Ｓ内に装着される。なお、各引戸扉ガイドレール２０Ａ、２０Ｂは、本発明の扉体ガイドレールの一例である。また、引戸扉３０は、本発明の扉体の一例である。
【００２２】
図１及び図３に示すように、引戸扉３０の下部には、下部引戸扉ガイドレール２０Ｂの上面に当接するローラ部材３１が設けられている。ローラ部材３１は、引戸扉３０に突設させた棒状部材に挿通された後に、棒状部材の先端部からナット３１Ａを締め付けて回転可能に配置されている。ここでは、ステンレスによって、ローラ部材３１を形成した。
【００２３】
さらに、引戸扉３０には、一対の傾斜ガイドレール３２Ａ、３２Ｂが延設されている。傾斜ガイドレール３２Ａ、３２Ｂは、引戸扉３０の幅方向（水平方向）から所定の角度傾斜（約４０度）して、ねじ（図示せず。）により引戸扉３０に固定されている。傾斜ガイドレール３２Ａ、３２Ｂは、水路開閉装置１の上流側に固定されている。ここでは、ステンレスによって、傾斜ガイドレール３２Ａ、３２Ｂを成形した。
【００２４】
水路開閉装置１の上流側に各傾斜ガイドレール３２Ａ、３２Ｂを固定することにより、上流側から水路開閉装置１に到達した水を、各傾斜ガイドレール３２Ａ、３２Ｂの上方から斜め左下方に沿って案内することができる。これにより、各傾斜ガイドレール３２Ａ、３２Ｂの上方から斜め左下方に向かう水流を発生させることができる。このため、この水流によって、各傾斜ガイドレール３２Ａ、３２Ｂに付着したごみを、該傾斜ガイドレール３２Ａ、３２Ｂから押し出すことができる。
【００２５】
加えて、引戸扉３０には、引戸扉開度表示棒３５が設けられている。引戸扉開度表示棒３５は、傾斜ガイドレール３２Ｂを引戸扉３０に固定するねじにより、該傾斜ガイドレール３２Ｂに固定されている。ここでは、ステンレス製の円柱状部材によって引戸扉開度表示棒３５を成形し、該引戸扉開度表示棒３５の先端部の位置を、上部引戸扉ガイドレール２０Ａの上面の位置よりも高くなるように配置した。さらに、引戸扉開度表示棒３５の先端面には、赤色の塗装を施した。
【００２６】
上記の上部引戸扉ガイドレール２０Ａの上面右端には「開」の文字を表示し、上部引戸扉ガイドレール２０Ａの上面中央付近には、「閉」の文字を表示している。ここでは、引戸扉３０の開閉操作を行う者が、上部引戸扉ガイドレール２０Ａの上面右端と上面中央付近との間における引戸扉開度表示棒３５の位置を目視にて確認することにより、引戸扉開度表示棒３５の位置に対応させて、引戸扉３０の開度を確認することができる。なお、上部引戸扉ガイドレール２０Ａの上面右端は、本発明の扉体の開位置の一例であり、上部引戸扉ガイドレール２０Ａの上面中央付近は、本発明の扉体の閉位置の一例である。引戸扉開度表示棒３５は、本発明の扉体開度表示部の一例である。
【００２７】
スピンドル４０は、ねじ軸４１及び支点軸４４を有する。ねじ軸４１の下端は、図１に示すように、Ｌ字状に成形されたスピンドル下部位置決めプレート４５Ａの開口部に螺合している。ねじ軸４１の上端は、オイルレスブッシュを介在させてスピンドル上部位置決めプレート４５Ｂに回転自在に取り付けられている。ねじ軸４１の上端には、ナット４２が螺合されている。スピンドル下部位置決めプレート４５Ａと同様に、スピンドル上部位置決めプレート４５Ｂは、Ｌ字状に成形されている。各スピンドル位置決めプレート４５Ａ、４５Ｂは、ボルト（図示せず。）によって、各引戸扉ガイドレール２０Ａ、２０Ｂにそれぞれ固定されている。
【００２８】
支点軸４４は、ねじ軸４１の上端に形成され、支点軸４４には、操作ハンドルＨ（図４参照。）が連結される。操作ハンドルＨによって、支点軸４４を回転させることにより、ねじ軸４１の下端をスピンドル下部位置決めプレート４５Ａの開口部に螺合させた状態を保ちながら、スピンドル４０を回転させることができる。本実施形態では、ステンレスによって、スピンドル４０を成形した。
【００２９】
ねじ軸４１には、摺動部材５０が螺合されている。摺動部材５０は、その内部に該摺動部材５０の鉛直方向に設けられた溝によって、回転することが阻止されている。ここでは、モノマーキャストナイロン（ＭＣナイロン、登録商標）によって、摺動部材５０を円形状に成形した。摺動部材５０の外周面は、各傾斜ガイドレール３２Ａ、３２Ｂの内面に摺動自在な状態で係合されている。なお、摺動部材５０は、本発明のナット部材の一例である。
【００３０】
ＭＣナイロン（登録商標）は自己潤滑性を有する。このため、ねじ軸４１と摺動部材５０との間に給油を行う必要がない。したがって、ねじ軸４１と摺動部材５０との間に水が浸入することがあっても、ねじ軸４１と摺動部材５０との間に給油を行わなければならない場合とは異なり、摺動部材５０の潤滑性能が低下しない。
【００３１】
次に、水路開閉装置１の動作を説明する。一例として、引戸扉３０を全開位置から全閉位置へ切り替える動作を説明する。上記の操作ハンドルＨによって支点軸４４を回転させることにより、ねじ軸４１に螺合された摺動部材５０を、前記高さ方向Ｙにおける上方向へねじ送りすることを開始させる。
【００３２】
摺動部材５０を前記上方向へねじ送りすると、図１中の二点鎖線で示すように、摺動部材５０が引き上げられていく。このとき、摺動部材５０は、上述したように、各傾斜ガイドレール３２Ａ、３２Ｂの内面に摺動可能に係合されているため、摺動部材５０は、各傾斜ガイドレール３２Ａ、３２Ｂに沿って、該傾斜ガイドレール３２Ａ、３２Ｂの右斜め上方に向かって相対的に摺動していく。これに伴って、各傾斜ガイドレール３２Ａ、３２Ｂが設けられた引戸扉３０は、各引戸扉ガイドレール２０Ａ、２０Ｂに沿って上記のスリット状の空間Ｓ内を、開閉方向Ｘの閉方向（図１中の左方向）へ移動する。引戸扉３０が閉方向へ移動する際には、上記のローラ部材３１が、下部引戸扉ガイドレール２０Ｂの上面に沿って転動する。
【００３３】
さらに、引戸扉３０が閉方向へ順次移動することに伴って、上記の引戸扉開度表示棒３５も該閉方向へ順次移動する。これにより、引戸扉開度表示棒３５の位置が、上記の引戸扉３０の全開位置から全閉位置に向けて順次移動する。
【００３４】
その後、ねじ軸４１に回転不能に螺合させたストッパリングがスピンドル上部位置決めプレート４５Ｂに当接すると、摺動部材５０のねじ送りが阻止される。これにより、図１中の二点鎖線で示すように、引戸扉３０が全閉位置で停止する。
【００３５】
一方、引戸扉３０を全閉位置から全開位置へ切り替える場合には、操作ハンドルＨを用い、摺動部材５０を、前記高さ方向Ｙにおける下方向へねじ送りすることを開始させる。これにより、摺動部材５０を、各傾斜ガイドレール３２Ａ、３２Ｂに沿って、該傾斜ガイドレール３２Ａ、３２Ｂの左斜め下方に向けて相対的に摺動させる。これに伴って、引戸扉３０は、各引戸扉ガイドレール２０Ａ、２０Ｂに沿って上記のスリット状の空間Ｓ内を、開閉方向Ｘの開方向（図１中の右方向）へ移動する。その後、ストッパリングがスピンドル下部位置決めプレート４５Ａに当接すると、引戸扉３０が全開位置で停止する。なお、スピンドル４０、各傾斜ガイドレール３２Ａ、３２Ｂ及び摺動部材５０は、本発明の作動機構の一例である。
【００３６】
引戸扉３０が開方向へ順次移動することに伴って、上記の引戸扉開度表示棒３５も該開方向へ順次移動する。これにより、引戸扉開度表示棒３５の位置が、引戸扉３０の全閉位置から全開位置に向けて順次移動する。
【００３７】
＜実施形態１の効果＞
実施形態１の水路開閉装置１では、操作ハンドルＨによって支点軸４４を回転させることにより、摺動部材５０が、前記高さ方向Ｙの上下方向にねじ送りされて各傾斜ガイドレール３２Ａ、３２Ｂに沿って相対的に摺動すると、摺動部材５０の摺動に合わせ、各傾斜ガイドレール３２Ａ、３２Ｂが固定された引戸扉３０も前記開閉方向Ｘへ順次移動する。
したがって、ＭＣナイロン（登録商標）によって成形した簡易な構成の摺動部材５０を介し、スピンドル４０と各傾斜ガイドレール３２Ａ、３２Ｂとを連動させることにより、引戸扉３０を開閉することができる。このため、引戸扉３０を開閉するために、スピンドル４０と各傾斜ガイドレール３２Ａ、３２Ｂとの間に、複雑な機構を設ける必要がない。
よって、複雑な機構に起因した故障が起きることを防ぐことができると共に、該複雑な機構の設置に伴う水路開閉装置１の製作費用や保守費用の増加を回避することができる。
【００３８】
また、上述したように、引戸扉３０に引戸扉開度表示棒３５を設けているため、引戸扉３０の開閉に応じ、引戸扉３０の全閉位置と全開位置との間を、引戸扉開度表示棒３５が移動する。
このため、引戸扉３０の開閉操作者が、全閉位置と全開位置との間に位置する引戸扉開度表示棒３５を確認することにより、該引戸扉開度表示棒３５の位置に基づいて、引戸扉３０の開度を容易に把握することができる。
【００３９】
さらに、引戸扉３０が前記開閉方向Ｘへ移動する際には、ローラ部材３１が、下部引戸扉ガイドレール２０Ｂの上面に沿って転動する。
これにより、引戸扉３０と下部引戸扉ガイドレール２０Ｂとの間の摩擦力を低減させて、引戸扉３０を、下部引戸扉ガイドレール２０Ｂに沿って円滑に移動させることができる。
したがって、引戸扉３０の開閉操作の際に前記開閉操作者に課される負担を軽減することができる。
【００４０】
加えて、上述したように、ボルト２６の頭部を、各引戸扉ガイドレール２０Ａ、２０Ｂに形成したボルト収容溝２５に沿って摺動させることにより、ボルト２６をボルト収容溝２５における任意の位置へ移動させることができる。
したがって、水路開閉装置１の施工現場の状況に合わせ、ボルト２６を任意の位置へ移動させることが可能になる。よって、ボルト２６と上記のブラケット２８を用い、前記施工現場の状況に応じ、各引戸扉ガイドレール２０Ａ、２０Ｂをブラケット２８に固定する位置を調整することができる。
【００４１】
＜実施形態２＞
本発明の実施形態２を、図５ないし図７を参照しつつ説明する。ここでは、実施形態１と同一の構成は同一の符号を付しその説明を省略する。本実施形態では、実施形態１とは異なり、操作ハンドルＨに代えて、インパクトドライバ６０によって、支点軸４４を回転させて、摺動部材５０を、引戸扉３０の高さ方向Ｙへねじ送りする。なお、インパクトドライバ６０は、本発明の携帯用電動工具の一例である。
【００４２】
図５及び図６に示すように、本実施形態の水路開閉装置１Ａでは、実施形態１の水路開閉装置１とは異なり、スピンドル上部位置決めプレート４５Ｂに代えて、インパクトドライバ支持プレート７０が設けられている。インパクトドライバ支持プレート７０には、スピンドル上部位置決めプレート４５Ｂと同様に、ねじ軸４１の上端が回転自在に取り付けられている。加えて、インパクトドライバ支持プレート７０には、貫通孔７１が形成されている。
【００４３】
インパクトドライバ６０を支点軸４４に回転可能に連結する際には、図７の（ａ）図、（ｂ）図に示すインパクトドライバ支持部材８０を用いる。インパクトドライバ支持部材８０は、棒体部８１と係合凹部８５とを備えている。なお、インパクトドライバ支持部材８０は、本発明の携帯用電動工具支持部材の一例である。
【００４４】
棒体部８１には、該棒体部８１の先端側にストッパ８２が突設されている。ここでは、リング状部材によってストッパ８２を形成した。棒状部８１の頭部側には係合凹部８５が固着されている。係合凹部８５は、平面視して略Ｕ字状となるように成形されている。係合凹部８５の深さは、図５から理解できるように、インパクトドライバ６０の基台部６１を収容可能な深さにした。
【００４５】
以下に、インパクトドライバ６０を支点軸４４に回転可能に連結する方法を説明する。引戸扉３０の開閉操作者は、図５及び図７の（ａ）図、（ｂ）図に示すように、インパクトドライバ６０の先端にソケット６５を装着する。ソケット６５には、嵌合孔が形成されている。引戸扉３０の開閉操作者は、ソケット６５をインパクトドライバ６０の先端に装着した後に、基台部６１に係合凹部８５を係合させる。
【００４６】
続いて、前記開閉操作者は、棒状部８１の先端を前記貫通孔７１に差し込むと共に、支点軸４４にソケット６５の嵌合孔を嵌合させる。その後、開閉操作者は、スイッチ６２をオンさせることにより、インパクトドライバ６０のモータを回転させる。これにより、回転出力軸を回転させ、該回転出力軸に装着されたソケット６５によって、支点軸４４を回転させる打撃作動が付与される。これにより、インパクトドライバ６０が、前記高さ方向Ｙの下方向へ順次前進し、棒状部８１が貫通孔７１を通過して順次押し下げられる。このため、実施形態１と同様に、摺動部材５０は、各傾斜ガイドレール３２Ａ、３２Ｂを左斜め下方に向けて摺動する。その結果として、実施形態１と同様に、引戸扉３０を前記開方向へ移動させることができる。
【００４７】
本実施形態では、ストッパ８２がインパクトドライバ支持プレート７０に当接することにより、インパクトドライバ６０が前記下方向へ前進することが阻止される。これにより、引戸扉３０が全開位置で停止する。
【００４８】
一方、前記モータによってソケット６５の回転方向を反転させると、ストッパ８２がインパクトドライバ支持プレート７０から離れ、棒状部８１が貫通孔７１を通過して前記高さ方向Ｙの上方向へ移動する。これにより、インパクトドライバ６０が、前記上方向へ順次後退し、実施形態１と同様に、摺動部材５０は、傾斜ガイドレール３２Ａ、３２Ｂの右斜め上方に向かって摺動していく。その結果として、実施形態１と同様に、引戸扉３０を前記閉方向へ移動させることができる。
【００４９】
＜実施形態２の効果＞
実施形態２の水路開閉装置１Ａのように、インパクトドライバ６０によって、支点軸４４を回転させることができれば、支点軸４４を回転させる工具を大型化せずに持ち運びが容易なものにすることができる。
加えて、インパクトドライバ６０によって、支点軸４４を回転させることができれば、支点軸４４を介し、スピンドル４０と各傾斜ガイドレール３２Ａ、３２Ｂとを連動させることにより、各傾斜ガイドレール３２Ａ、３２Ｂが固定された引戸扉３０を、短時間で簡単に開閉することができる。これにより、引戸扉３０を開閉する作業が容易になる。
【００５０】
また、インパクトドライバ６０によって、ソケット６５を介し、支点軸４４を回転させる打撃作動が付与されている最中であっても、インパクトドライバ支持部材８０の棒状部８１及び係合凹部８５は、インパクトドライバ支持プレート７０に、インパクトドライバ６０の基台部６１を支持することができる。このため、前記打撃作動が付与されている最中であっても、インパクトドライバ支持部材８０を用いることにより、インパクトドライバ６０を回り止め状態でインパクトドライバ支持プレート７０に支持し、インパクトドライバ６０が回転することを防止できる。
これにより、前記打撃作動が付与されている最中には、ソケット６５を支点軸４４に回転可能に連結した状態を保持することがきるため、ソケット６５と支点軸４４との連結状態が解除されることを防ぐことができ、インパクトドライバ６０によって、ソケット６５を介し、支点軸４４の回転操作を効率的に行うことができる。
【００５１】
本発明は、上述した実施形態に限定されるものではなく、発明の趣旨を逸脱しない範囲内において構成の一部を適宜変更して実施することができる。上述した実施形態１では、上部引戸扉ガイドレール２０Ａの上面右端に「開」の文字を表示し、上部引戸扉ガイドレール２０Ａの上面中央付近に「閉」の文字を表示したが、「開」「閉」の文字に代えて、上部引戸扉ガイドレール２０Ａの上面に、開度表示目盛りを設けてもよい。これにより、上述した引戸扉開度表示棒３５の位置に対応する開度表示目盛りを読み取れば、引戸扉３０の開度を確認することができる。
【００５２】
また、実施形態１における操作ハンドルＨや実施形態２におけるインパクトドライバ６０に代えて、油圧駆動機構より、支点軸４４を回転させてもよい。本発明の携帯用電動工具として、インパクトドライバ６０を除く他の電動工具を用いてもよい。操作ハンドルは、図４に示したものに限らず、例えば、図９に示す操作ハンドルＨ１のように、適宜の形状に形成してもよい。
【００５３】
さらに、インパクトドライバ支持部材は、図７に示したものに限らず、インパクトドライバ６０をインパクトドライバ支持プレート７０に支持することができる適宜のものであってもよい。例えば、図８に示すように、インパクトドライバ支持部材８０Ａをスイッチ６２に係合する係合凹部を有すると共に、上述した棒状部８１及びストッパ８２を有するものとしてもよい。
【００５４】
加えて、上述した実施形態とは異なり、砲金によって摺動部材５０を形成したり、摺動部材５０の形状を、円形状に代えて四角形状にしてもよい。
さらに加えて、上述した実施形態における引戸扉３０の全開位置を全閉位置に、該引戸扉３０の全閉位置を全開位置にそれぞれ入れ替えて水路開閉装置１（１Ａ）を形成してもよい。
また、集水枡とそれぞれ連通させた主水路及び分岐水路の内の分岐水路を開閉するために、集水枡内に水路開閉開閉装置１（１Ａ）を設置してもよい。
【符号の説明】
【００５５】
１（１Ａ）・・水路開閉装置、１０・・固定フレーム、２０（２０Ａ、２０Ｂ）・・引戸扉ガイドレール、２５・・ボルト収容溝、２６・・ボルト、２８・・ブラケット、３０・・引戸扉、３２（３２Ａ、３２Ｂ）・・傾斜ガイドレール、３５・・引戸扉開度表示棒、４０・・スピンドル、４１・・ねじ軸、５０・・摺動部材、６０・・インパクトドライバ、８０・・インパクトドライバ支持部材、Ｒ・・水路、Ｒ１・・開口部、Ｘ・・引戸扉の幅方向（水平方向）、Ｙ・・引戸扉の高さ方向（上下方向）
【図１】
2010222825.tif 000003
【図２】
2010222825.tif 000004
【図３】
2010222825.tif 000005
【図４】
2010222825.tif 000006
【図５】
2010222825.tif 000007
【図６】
2010222825.tif 000008
【図７】
2010222825.tif 000009
【図８】
2010222825.tif 000010
【図９】
2010222825.tif 000011